(57)【要約】  微粒子やウイルス等の侵入に備えるとともに、飛来虫の忌避効果を有するマスクを提供し、当該マスクの専用ケースを提供する。  マスク（Ａ）は、複数のフィルタを積層してなり、少なくとも、ポリエステル系繊維による布帛にカーボン糸が織り込まれた静電防止フィルタと、トルアミド系複合化合物を含浸させた綿布による虫忌避フィルタと、水溶性の両性イオン性高分子が混合されたレーヨン繊維による布帛による防臭フィルタとが積層されている。  マスクケース（７）は、二又に分岐した底面部（７１，７２）と、その中央に立設した頂上部（７３）とを備え、底面部（７１，７２）の片方から頂上部（７３）に至る部分に開口端縁（７４）を設けて開口させ、頂上部（７３）から前記開口端縁（７４）を覆う庇状端縁部（７６）を形成する。
2018003831.tif 000002
【特許請求の範囲】
【請求項１】
複数のフィルタを積層してなるマスクであって、少なくとも、ポリエステル系繊維による布帛にカーボン糸が織り込まれた静電防止フィルタと、トルアミド系複合化合物を含浸させた綿布による虫忌避フィルタと、水溶性の両性イオン性高分子が混合されたレーヨン繊維による布帛による防臭フィルタとが積層されていることを特徴とするマスク。
【請求項２】
本体部が、最も内側に積層される基部層と、最も外側に積層されるメッシュ状のナイロン製メッシュ生地による表面層とが非縫着領域を形成しつつ部分的に縫着してなり、前記複数のフィルタによるフィルタ構成部が、前記基部層と表面層との間に配置されるものである請求項１記載のマスク。
【請求項３】
本体部が、最も内側に積層される基部層と、最も外側に積層されるメッシュ状のナイロン製メッシュ生地による表面層とが非縫着領域を形成しつつ部分的に縫着してなり、  前記複数のフィルタのうち、任意のフィルタが基部層または表面層に積層され、残りのフィルタによるフィルタ構成部が、前記基部層と表面層との間に配置されるものである請求項１に記載のマスク。
【請求項４】
内側に配置される基部層および外側に配置される表面層を、非縫着領域を形成しつつ部分的に縫着してなる本体部と、前記非縫着領域から本体部に出し入れ可能なフィルタ構成部とを備え、  前記フィルタ構成部は、ポリエステル系繊維による布帛にカーボン糸が織り込まれた静電防止フィルタ、トルアミド系複合化合物を含浸させた綿布による虫忌避フィルタ、および、水溶性の両性イオン性高分子が混合されたレーヨン繊維による布帛による防臭フィルタの中から選択される一以上のフィルタを備えるものであることを特徴とするマスク。
【請求項５】
内側に配置される基部層および外側に配置される表面層を、非縫着領域を形成しつつ部分的に縫着してなる本体部と、前記非縫着領域から本体部に出し入れ可能なフィルタ構成部とを備え、  ポリエステル系繊維による布帛にカーボン糸が織り込まれた静電防止フィルタ、トルアミド系複合化合物を含浸させた綿布による虫忌避フィルタ、および、水溶性の両性イオン性高分子が混合されたレーヨン繊維による布帛による防臭フィルタの中から選択される一または複数のフィルタが、前記基部層、表面層もしくはフィルタ構成部のいずれかにまとめて、または二以上に分かれて積層されていることを特徴とするマスク。
【請求項６】
前記本体部は、前記基部層と前記表面層とが、下端縁および左右両端縁において縫着され、上端縁において開口部が形成されるものであり、前記フィルタ構成部を該開口部から出し入れ自在にしてなる請求項２ないし５のいずれかに記載のマスク。
【請求項７】
前記開口部から自在に出し入れされるフィルタ構成部は、複数のフィルタが積層された状態で縫着により一体化された積層体によって形成されている請求項５に記載のマスク。
【請求項８】
前記基部層は、二枚の基部材料フィルタによって構成され、前記防臭フィルタが、前記二枚の基部材料フィルタの中間に配置されている請求項２ないし７のいずれかに記載のマスク。
【請求項９】
前記防臭フィルタよりも内側の層には、適宜な肉厚の綿が積層されている請求項８に記載のマスク。
【請求項１０】
前記基部層または表面層のいずれか一方は、上側に位置する端縁に庇状の面状部が形成され、該面状部の先端縁には左右方向に連続する端縁部が設けられ、この端縁部の両端は、前記基部層または表面層の左右両側部に係止され、かつ装着用の紐部材に連結されている請求項２ないし９のいずれかに記載のマスク。
【請求項１１】
前記基部層または表面層のいずれか一方は、上側に位置する端縁に庇状の面状部が形成され、該面状部の先端縁には左右方向に連続する端縁部が設けられ、この端縁部の両端は、前記基部層または表面層の左右両側部に係止され、装着用の伸縮紐が前記端縁部内に挿通されている請求項２ないし９のいずれかに記載のマスク。
【請求項１２】
前記面状部の端縁部には、その内部または表面に塑性変形可能な材質による長尺なワイヤ部材が該端縁部に沿って設けられている請求項８に記載のマスク。
【請求項１３】
前記基部層または表面層のいずれか一方は、下側に位置する端縁に庇状の第２の面状部が形成され、該第２の面状部の先端縁には左右方向に連続する第２の端縁部が設けられ、この第２の端縁部の両端は、前記基部層または表面層の左右両側部に係止され、装着用の伸縮紐が前記第２の端縁部に挿通されている請求項２ないし１２のいずれかに記載のマスク。
【請求項１４】
前記基部層の上部には、適宜間隔を有する二箇所に弾性力を有する緩衝部材を備えるものである請求項２ないし１３のいずれかに記載のマスク。
【請求項１５】
請求項１ないし１４のいずれかに記載のマスクであって、前記各フィルタのいずれかの一もしくは複数のフィルタ、またはこれらとは異なる個別のフィルタが、目開き長を６０ｎｍ以下の微細なメッシュ構造で構成したことを特徴とする呼吸負荷型マスク。
【請求項１６】
請求項１ないし１５のいずれかに記載のマスクを収容するためのマスクケースであって、二又に分岐した底面部と、その中央に立設した頂上部とを備え、底面部の片方から頂上部に至る部分に開口端縁を設けて開口させ、頂上部から前記開口端縁を覆う庇状端縁部を形成してなることを特徴とするマスクケース。
【請求項１７】
前記開口端縁と前記庇状端縁部とは、相互にファスナまたは面ファスナによって閉口自在に構成されている請求項１６に記載のマスクケース。
【発明の詳細な説明】
【技術分野】
【０００１】  本発明は、複数のフィルタが積層されて構成されるマスクおよび専用のマスクケースに関し、特に、微細な粒子等の侵入を抑制し、または呼吸に負荷を与えることができるマスクと専用ケースに関するものである。
【背景技術】
【０００２】  一般的なマスクは、花粉や粉塵の気管支への侵入を防止するための防塵用として使用されるもの、または、咳やくしゃみなどにより発生する飛沫等の拡散を防止するために使用されるものである。また、最近では、微粒子やウイルスなどから自己防衛的に防御する手段としてもマスクを装着することが多くなっている。ところで、上記のような目的のマスクには、一枚の不織布などによって構成される使い捨てタイプと、ガーゼなどのシート材を積層して構成される繰り返し使用可能なタイプとが存在していた。【０００３】  使い捨てタイプのマスクは、専ら不織布を使用したものであって、マスクに使用される不織布の製造においては、通気性と粒子の捕捉性とのバランスを考慮して、繊維径および目付量が設定されていた（特許文献１参照）。ところが、粉塵や飛沫などの粒径の比較的大きい粒子は、通気性を維持しつつ捕捉することは可能であるが、より粒径の小さな微粒子の侵入を防止するためには、捕捉性を向上させなければならず、微粒子の侵入を防止する粒子の捕捉性を向上させようとすれば、通気性が低下することとなっていた。【０００４】  そこで、上記の問題点である通気性低下を解消すべく、各部をパーツごとに構成し、これらを繋ぎ合わせる領域において、部分的に重ね合わせるとともに、当該積層部分の一部を接合してなる接合部と、それ以外の部分を接合しない非接合部とを構成してなるものが開発されている（特許文献２）。このような構成のマスクにあっては、吸引時においては気圧の影響により非接合部が密着し、呼気の排出時には、非接合部が開放することから、通気性（特に呼気の排出）を向上され得るとされるものである。【０００５】  その一方において、繰り返し使用可能なタイプのマスクにあっては、専らガーゼのような多孔質のシート材によって形成されたフィルタを積層したものであって、洗濯によって付着物を除去して再度使用できるように構成されているものが周知である。この種のマスクは、比較的粒径の大きい粒子の捕捉を目的とするものであり、微粒子やインフルエンザ等のウイルス感染予防に使用することは不向きであった。そこで、フィルタを積層するタイプのマスクにおいてもウイルス等の感染予防効果を得るため、マスクに付着したウイルスを不活性化させるシート材を積層するものが開発されており、例えば、最外層および最内層のフィルタにウイルス不活性化微粒子を担持させたものがあった（特許文献３参照）。【０００６】  前掲の特許文献においては、その使い勝手の良さから使い捨てタイプが普及されているものの、マスクによって捕捉すべき物質によって、捕捉性を変化させる必要があった。つまり、捕捉すべき物質の粒径が小さくなれば、捕捉性を向上させなければならなかった。しかしながら、前掲の特許文献１に示されるマスクにあっては、使用する繊維の径や目付量によって捕捉性を調整するものであるが、捕捉性を向上させようとすると、同時に通気性が低下する結果となり、無制限に捕捉性のみを向上させることが難しいものとなっていた。【０００７】  また、特許文献２に示されるように、各パーツを繋ぎ合わせる領域において部分的に積層し、接合部と非接合部とを設ける構成の場合には、呼気の排出時には非接合部の間隙を利用し、吸気時には非接合部は開口しないとされている。しかしながら、理論的には、吸気の際には、マスクの内側空間の気圧が低下するため、非接合部が重なった状態で閉じ合わされることから、非接合部の間隙から外気が流入せず、マスク本体を通過した空気を吸引することができるものとされるものの、マスク本体に皺などを生じさせて装着する場合には、当該非接合部の間隙から外気が流入するとの懸念が生じ得るものであった。【０００８】  さらに、上述のような使い捨てタイプのマスクをウイルス感染の予防のために使用する場合には、比較的粒子の大きい飛沫物質の捕捉は可能と想定されるが、マスク表面（特に外側表面）には捕捉された感染力のあるウイルス等を含む飛沫等が付着することとなり、不用意に当該表面を手指で触れる場合には、感染力が低下していない飛沫物質によって感染することが懸念されていた。そのため、使用後においては、マスク表面に触れないように顔面から取り外し、マスク表面を内側に折り畳むようにし、さらに、空気中に飛散しないように密封した状態で廃棄しなければならなかった。【０００９】  他方、特許文献３に示されるような繰り返し使用可能なタイプにマスクにあっては、マスクの表面に付着した飛沫等に含まれるウイルス等をウイルス不活性化微粒子によって不活性化させるものとされている。従って、マスクによって捕捉された（マスク表面に付着した）ウイルスを不活性化させるものであって、インフルエンザ等の感染予防として使用することに好適なものとされるが、当該マスクにあっては、捕捉性および通気性については特別な技術が用いられているものではなかった。つまり、ウイルスを有する飛沫物質等の捕捉性の如何によっては、十分な感染予防に資するものとなり得ない可能性を内在するものとなっていた。【００１０】  ところで、近年では、粒子状物質（ＰＭ）のうち粒径の小さい微粒子（例えば、ＰＭ２．５）、または、インフルエンザ等の微小ウイルスによって健康被害が拡大するとの報道がなされ、微粒子を十分に捕捉し得るマスクが切望されている。そこで、本願の出願人において、帯電フィルタと、目開き長の小さなメッシュフィルタと、抗菌フィルタとを積層したマスクを開発した（特許文献４）。
【先行技術文献】
【特許文献】
【００１１】
【特許文献１】特開２００９−２７３７２６号公報
【特許文献２】特開２０１２−２５４２７２号公報
【特許文献３】ＷＯ２０１１／０４００３５号公報
【特許文献４】特開２０１５−０２９５６８号公報
【発明の概要】
【発明が解決しようとする課題】
【００１２】  前掲の特許文献４に記載のマスクは、粒子状物質（ＰＭ）のうち粒径の小さい微粒子（例えば、ＰＭ２．５）、または、インフルエンザ等の微小ウイルスに備えるためのマスクとしては好適であった。これは、帯電フィルタによって吸着させ、これを抗菌フィルタによって不活化させるものであったが、ウイルス等が帯電フィルタに留まるため、ウイルス等を全て除去できるものではなかった。また、近時報道されているジカ熱の発生原因である蚊の忌避など、飛来虫の接近に対処し得るものではなかった。さらに、積層される全てのフィルタが一体的に構成されていたことから交換ができず、マスク全体を洗濯して使用していたが、その回数に限界があった。さらに、使用者が防御すべき対象物に応じてフィルタを交換し得るマスクが切望されていた。【００１３】  本発明は、上記諸点にかんがみてなされたものであって、その目的とするところは、微粒子やウイルス等の侵入に備えるとともに、飛来虫の忌避効果を有するマスクを提供すること、および当該マスクの専用ケースの提供である。
【課題を解決するための手段】
【００１４】  そこで、マスクに係る本発明として、第１に、複数のフィルタを積層してなるマスクであって、少なくとも、ポリエステル系繊維による布帛にカーボン糸が織り込まれた静電防止フィルタと、トルアミド系複合化合物を含浸させた綿布による虫忌避フィルタと、水溶性の両性イオン性高分子が混合されたレーヨン繊維による布帛による防臭フィルタとが積層されていることを特徴とする。【００１５】  上記構成によれば、静電防止フィルタの存在により、微粒子やウイルス等は、第一義的にはフィルタによって防護され、第二義的に、微粒子やウイルス等をフィルタ表面に付着した状態でと留めることなく、排除させることが可能となる。また、虫忌避フィルタにより、飛来虫の接近を制限することができる。さらに、防臭フィルタにより、蚊等の飛来虫を引き寄せる臭い成分や二酸化炭素の拡散を制限し、飛来虫の忌避効果を向上させ得る。特に、防臭フィルタには、水溶性の両性イオン性高分子が混入されたレーヨン繊維が使用されているため、呼気に含まれる湿気を吸収し、二酸化炭素の水和性により、その発生を抑えることができる。【００１６】  上記構成の発明においては、各フィルタが、最も内側に積層される基部層と、最も外側に積層されるメッシュ状のナイロン製メッシュ生地による表面層との間に配置されるものとすることができる。このとき、基部層と表面層とが非縫着領域を形成しつつ部分的に縫着されており、前記複数の各フィルタによるフィルタ構成部が、前記基部層と表面層との間に配置されるように構成することができる。【００１７】  上記構成の場合には、基部層としてガーゼ等を使用することにより、皮膚が接触する部分の感触を良好にしつつ、ナイロン製メッシュ生地による形状の安定化を実現させることができる。なお、形状の安定化とは、自在に形状変化させた状態において、その復元を抑えることを意味するものであり、その形状が固定化させるという意味ではない。また、フィルタ構成部が複数のフィルタの集合体である場合、これらを一体的に積層した状態である場合のほか、複数のフィルタが分離可能な状態の場合もあり得る。【００１８】  上記構成の発明においては、本体部が、最も内側に積層される基部層と、最も外側に積層されるメッシュ状のナイロン製メッシュ生地による表面層とが非縫着領域を形成しつつ部分的に縫着してなり、前記複数のフィルタのうち、任意のフィルタが基部層または表面層に積層され、残りのフィルタによるフィルタ構成部が、前記基部層と表面層との間に配置されるものとすることができる。【００１９】  このような構成では、用途・目的にかかわりなく、マスクに共通するフィルタについては、基部層または表面層に固定的に設けられることとなる。特に、袋体が形成され、その袋体の内部にフィルタを挿入する形態の場合には、使用の目的等に合致するフィルタを挿入して使用するとしても、マスクとして機能させるべき最低限度のフィルタを備えた状態とすることができる。なお、縫着の用語は、縫い合わせて一体化させることを意味し、一般的なマスクの製造方法として使用されるものである。従って、直接縫い合わせる場合のほか、縫い代を被覆して縫い合わせる場合などを含む。また、縫い合わせて一体化させる場合の縫い方は限定されず、使用する糸の種類なども特に限定されるものではない。さらに、材料によっては溶着が可能な場合があり、特殊な接着剤によって接着が可能な場合などでは、縫着の語は溶着または接着という意味として理解されるものである。縫着の用語に関しては以下において同様である。【００２０】  また、マスクに係る本発明の第２としては、内側に配置される基部層および外側に配置される表面層を、非縫着領域を形成しつつ部分的に縫着してなる本体部と、前記非縫着領域から本体部に出し入れ可能なフィルタ構成部とを備え、前記フィルタ構成部は、ポリエステル系繊維による布帛にカーボン糸が織り込まれた静電防止フィルタ、トルアミド系複合化合物を含浸させた綿布による虫忌避フィルタ、および、水溶性の両性イオン性高分子が混合されたレーヨン繊維による布帛による防臭フィルタの中から選択される一以上のフィルタを備えるものであることを特徴とする。【００２１】  上記構成によれば、一つの本体部を使用しつつ、適宜異なる構成によるフィルタ構成部を用いることにより用途に応じたマスクとしての使用が可能となる。例えば、夏季における害虫の飛来が多い時期には虫忌避フィルタを備えたフィルタ構成部を使用し、冬季におけるウイルス等の排除のために静電防止フィルタを備えるフィルタ構成部を使用などのように、季節に応じて変更することができる。また、当然のことながら、前記フィルタを全て備えるフィルタ構成部を使用することも可能である。【００２２】    また、マスクに係る本発明の第３としては、内側に配置される基部層および外側に配置される表面層を、非縫着領域を形成しつつ部分的に縫着してなる本体部と、前記非縫着領域から本体部に出し入れ可能なフィルタ構成部とを備え、ポリエステル系繊維による布帛にカーボン糸が織り込まれた静電防止フィルタ、トルアミド系複合化合物を含浸させた綿布による虫忌避フィルタ、および、水溶性の両性イオン性高分子が混合されたレーヨン繊維による布帛による防臭フィルタの中から選択される一または複数のフィルタが、前記基部層、表面層もしくはフィルタ構成部のいずれかにまとめて、または二以上に分かれて積層されていることを特徴とする。【００２３】  上記構成によれば、特定の効果を有するフィルタを必須のフィルタとして、基部層または表面層に予め積層したうえで、別の効果を有するフィルタをフィルタ構成部として追加的に積層させることが可能となる。また、これらのフィルタは異なる効果のものである必要はなく、特定の効果を増大させるために同種のフィルタをフィルタ構成部として追加させることも可能である。なお、上記構成の場合には、表面層にメッシュ状のナイロン製メッシュ生地を使用してもよいが、表面層を他の素材またはフィルタによって構成し、当該ナイロン製メッシュ生地を基部層の一部に使用してもよい。このナイロン製メッシュ生地は形状の安定化を目的とするものであり、結果的に一体化される基部層と表面とが一体化されることにより、全体として形状の安定化が実現されればよく、いずれか一方に使用されることにより、その目的を達することができる。また、ナイロン製メッシュ生地を基部層に使用する場合には、基部層の最も内側にガ��ゼ等を使用することにより、皮膚が接触する部分の感触を良好にすることができる。【００２４】  上記構成の各発明のうち、基部層と表面層とを形成する発明においては、これらの二つの層が、下端縁および左右両端縁において縫着され、上端縁において開口部が形成される本体部を構成するものとし、前記フィルタ構成部を該開口部から出し入れ自在にしてなる構成とすることができる。【００２５】  上記構成の場合には、基部層と表面層とが袋体を形成することとなり、開口部から袋体の内部にフィルタ構成部を挿入し、または取り出すことが可能となるのである。このとき、前記フィルタ構成部を形成する各フィルタの全部または一部を出し入れすることが可能であるから、当該フィルタ構成部を形成するフィルタを交換することができるうえ、フィルタを取り出した状態で（すなわち袋体のみを）洗濯することも可能となる。なお、出し入れできるフィルタ構成部が前記各フィルタの一部とする場合には、他の必須のフィルタは、基部層または表面層のいずれかに縫着等されて一体的に構成することができる。【００２６】  さらに、上記構成の発明においては、前記開口部から自在に出し入れされるフィルタ構成部が、複数のフィルタを積層した状態で縫着により一体化された積層体によって形成されるものであってもよい。【００２７】  上記構成の場合には、使用時において使用者がフィルタ構成部を形成する際に、任意のフィルタを適当な順序で袋体に挿入するのではなく、予め必要なフィルタを好適な順序で積層した一体型の積層体をフィルタ構成部として挿入することで、好適な使用が可能となるものである。特に、フィルタ構成部を形成すべき全てのフィルタが一体的な積層体で構成される場合には、用途・目的に応じて、予め積層されたフィルタの積層体をもってフィルタ構成部とすることができ、積層体を単位としてフィルタ構成部を交換することが可能となる。なお、当然のことながら、複数のフィルタによって一体的に形成される積層体は、当該積層体を単位としてフィルタ構成部を形成することに限定されず、複数の積層体をさらに複数積層することによりフィルタ構成部を形成させてもよい。この場合、単層のフィルタと積層体とを同時に使用する場合もあり得る。  【００２８】  また、上記各発明において、前記基部層は、二枚の基部材料フィルタによって構成され、前記防臭フィルタが、前記二枚の基部材料フィルタの中間に配置されている構成とすることができる。【００２９】  上記構成によれば、使用時において使用者の口元に接する基部層は、濃厚な呼気や唾液の飛沫を受けることとなるが、この基部層に防臭フィルタを設けることにより、これらを原因とする臭いを抑える効果を向上させる。特に、当該防臭フィルタは、上述のように、水溶性の両性イオン性高分子が混入されたレーヨン繊維が使用されているため、呼気に含まれる湿気を吸収し、水和性による二酸化炭素濃度を抑えるため、臭いの予防や飛来虫を忌避する効果を奏する。なお、基部層を構成する二枚の基部材料フィルタは、同一素材のフィルタである必要はなく、口元に接する側には、例えばガーゼで構成したフィルタを使用し、反対側には、例えば抗菌フィルタを使用することも可能である。【００３０】  ���記構成の発明においては、前記防臭フィルタよりも内側の層に、適宜な肉厚の綿が積層されていることが好ましい。【００３１】  上記構成の場合には、口元から消臭フィルタまでの間に少なからず空隙部を形成させることとなり、この空隙部が存在することにより、使用者による息苦しさを解消させることができる。また、空隙部によって唾液の飛沫等を留めることにより、臭いの原因物質などを消臭フィルタよりも外側に放出することを抑えることとなる。【００３２】  上記各構成の発明において、前記基部層または表面層のいずれか一方には、上側に位置する端縁に庇状の面状部を形成し、該面状部の先端縁には左右方向に連続する端縁部を設け、この端縁部の両端が前記基部層または表面層の左右両側部に係止されるとともに、装着用の紐部材に連結される構成とすることができる。【００３３】  上記構成の場合には、面状部の端縁部の両端が、面状部の左右両側部とともに装着用の紐部材によって、使用者の顔面に引き寄せられ、マスクの装着状態を安定させることができる。また、庇状の面状部により、マスク周縁から漏れ出る呼気のうち、目元方向へ漏れる呼気が、目元（特にメガネのレンズ）に吹きかけられることを回避することができる。特に、マスクを装着した状態で、装着用の紐部材を引っ張ることにより、面状部の端縁部が集中的に引っ張られ、鼻周辺の隙間の発生を抑えることができる。なお、紐部材は、伸縮性のないものでもよいが、ゴム紐等の伸縮性を有する部材で構成してもよい。【００３４】  また、同様にして、上記発明において、前記基部層または表面層のいずれか一方は、上側に位置する端縁に庇状の面状部が形成され、該面状部の先端縁には左右方向に連続する端縁部が設けられ、この端縁部の両端は、前記基部層または表面層の左右両側部に係止され、装着用の伸縮紐が前記端縁部内に挿通されている構成としてもよい。【００３５】  上記構成の場合には、庇状の面状部において左右に連続する端縁部に、装着用の伸縮紐が挿通されていることから、伸縮紐を伸張させた状態でマスクを装着するとき、庇状の面状部の端縁部は、伸縮紐の復元力により頭部中心方向へ付勢される。これにより、面状部の端縁部を伸縮紐の形状に合致させ、顔面の起伏に対して柔軟に密着させることができる。【００３６】  なお、上記のように庇状の面状部を有する構成においては、さらに、前記面状部の端縁部には、その内部または表面に塑性変形可能な材質による長尺なワイヤ部材を該端縁部に沿って設け、また、前記基部層の上部には、適宜間隔を有する二箇所に弾性力を有する緩衝部材を備える構成とすることができる。【００３７】  上記のような構成の場合には、ワイヤ部材の塑性変形によって、面状部の端縁部の形状を安定化させることができ、マスクを装着する際に当該端縁部を鼻周辺の起伏に合わせて予め形状を調整した後、その形状を維持させることができる。従って、庇状の面状部の状態を安定させることとなるのである。また、間隔を有する二個所の緩衝部材により、適宜変形可能な緩衝部材が鼻の両側における密着性を向上させることができる。【００３８】  さらに、上記構成の各発明において、前記基部層または表面層のいずれか一方には、下側に位置する端縁に庇状の第２の面状部が形成され、該第２の面状部の先端縁には左右方向に連続する第２の端縁部が設けられ、この第２の端縁部の両端は、前記基部層または表面層の左右両側部に係止され、装着用の伸縮紐が前記第２の端縁部に挿通されているものとすることができる。【００３９】  上位機構成によれば、基部層または表面層の下端縁に設けられる第２の面状部が、顎の周辺を覆うように配置されることとなり、しかも、その端縁部に伸縮紐が挿通されることにより、顎周辺の形状に合わせて端縁部を密着させることができる。従って、マスクを装着した際、特に、会話等のために口を動かせる場合であっても、顎周辺におけるマスク周縁と顔面との間の間隙の発生を抑えることが可能となる。【００４０】  呼吸負荷型マスクとしての本発明は、前記各構成のマスクにかかる発明において、前記各フィルタのいずれかの一もしくは複数のフィルタ、またはこれらとは異なる個別のフィルタが、目開き長を６０ｎｍ以下の微細なメッシュ構造で構成したことを特徴とするものである。【００４１】  上記構成によれば、敢えてマスクの着用によって、多少の息苦しい状態とすることで、呼吸に負荷を掛けることとなり、横隔膜以外の呼吸筋を鍛えることができる。すなわち、一般的な呼吸は、横隔膜および肋間筋が作用するとされているが、これらの他にも胸鎖乳突筋、腹直筋または斜角筋などが呼吸動作に作用するため、これらの筋肉を鍛えることにより、呼吸動作の改善を図ることができる。このようなトレーニングにより、代謝が高められることとなるからダイエット効果が期待できる。なお、呼吸動作の改善とは、例えば、上述のような呼吸に使用される筋肉が鍛えられることによって、呼吸の停止時間が短くなり、呼吸の停止回数も減少するということであり、このような呼吸動作の改善によって、睡眠時無呼吸症候群の発症を抑える効果も期待できる。【００４２】  なお、上記各構成のマスクを収容するための専用マスクケースとしては、二又に分岐した底面部と、その中央に立設した頂上部とを備え、底面部の片方から頂上部に至る部分に開口端縁を設けて開口させ、頂上部から前記開口端縁を覆う庇状端縁部を形成してなることを特徴としている。上記構成のマスクケースは、底面部が二又に分岐しているため。マスクの左右側両端を当該分岐した二つの底部に併せることにより、マスクの形状を維持した状態で収容できる。【００４３】  上記構成のマスク専用ケースにおいて、前記開口端縁と前記庇状端縁部とが、相互にファスナまたは面ファスナによって閉口自在に構成されたものとすることができる。このような構成の場合には、マスクをケース内に収納した状態において、容易に開口してマスクの表面が露出されることを防ぐことができる。特に、マスクを専用ケースに収納した状態では、マスクの変形を抑えることができることから、マスクを洗濯する際には専用ケースに収納した状態で洗濯槽に投入することができる。このとき、洗濯槽内で攪拌等が作用する場合であっても、上記構成により、マスクが専用ケース内に収まった状態を維持させることができる。
【図面の簡単な説明】
【００４４】
【図１】マスクに係る本発明の第１の実施形態を示す説明図である。
【図２】マスクの本体部を示す説明図である。
【図３】マスクの本体部を示す説明図である。
【図４】マスクの基部層を示す説明図である。
【図５】マスクのフィルタ構成部（内挿用フィルタ）の構成を示す説明図である。
【図６】マスクに係る本発明の第２の実施形態におけるマスクの本体部を示す説明図である。
【図７】マスクに係る本発明の第２の実施形態におけるマスクの本体部を示す説明図である。
【図８】マスクに係る本発明の第２の実施形態におけるマスクの本体部を示す説明図である。
【図９】マスクに係る本発明の第２の実施形態の使用状態を示す説明図である。
【図１０】マスクケースに係る本発明の実施形態を示す説明図である。
【図１１】マスクケースの使用態様を示す説明図である。
【図１２】マスクケースの断面図である。
【図１３】マスクケースの変形例を示す説明図である。
【発明を実施するための形態】
【００４５】  以下、本発明の実施の形態を図面に基づいて説明する。図１は、マスクに係る本発明の第１の実施形態を示す図である。本実施形態は、マスク本体１とフィルタ構成部（内挿用フィルタ）２とで構成されるものであり、マスク本体１には、上端縁のみが開口する開口部１１が形成されており、この開口部１１から内挿用フィルタ２を挿入することにより、所定の効果を有するマスクＡを構成するものである。なお、マスク本体１は、一部のフィルタ素材によって構成されており、前記内挿用フィルタ２とともに、所定の物質の侵入を防御し得るものである。ここで「フィルタ構成部」とは、一または複数のフィルタによって構成され、マスク本体１とは区別して設けられた部材であって、専らフィルタ機能を発揮させる目的を有する部分を示すものである。図示のように一体化した単一部材として構成される場合もあれば、複数に分割されて構成される場合もあり、さらには分離した単独フィルタによって構成される場合があり得る。マスク本体１に内挿する構成であることから、以下において「内挿用フィルタ」と称する場合がある。
【００４６】  マスク本体１は、基部層３と表面層４とが、周辺を縫着されることによって一体化されたものである。但し、開口部１１を形成すべき上端縁は縫着されていない非縫着領域としている。また、基部層３の上端縁には、布地を当該端縁から庇状に形成してなる面状部３１が設けられ、基部層３よりも内側（使用者の顔側）の適宜範囲を被覆できるように構成している。そして、この面状部３１の先端縁３２には、帯状の端縁部が設けられ、その内部には、塑性変形可能な（弾性力が比較的小さい）樹脂製（ポリエチレン製）または金属製のワイヤ部材が縁部に沿って内挿されており、使用者の顔表面の起伏に応じて変形させ、当該端縁を顔面に密着させることができるようになっている。なお、マスク本体１の左右両側には、耳掛け用として伸縮性を有するゴム紐５，６が設けられるものである。このゴム紐５，６は、庇状の面状部の３１の先端縁３２の両端に連結されるものであり、当該両端部分は、後述のように表面層４の一部に係止されるものである。なお、このゴム紐５，６は、伸縮性のない紐材で構成してもよく、長さ調整を可能とする調節具を設けてもよい。
【００４７】  ところで、マスク本体１は、図２に示すように、基部層３と表面層４とが個別の異なるフィルタ層によって構成されており、これを縫着して一体化するものであるが、本実施形態においては、基部層３は、ポリエステル製の糸をメリヤス編みしたガーゼ等の柔軟な素材を主として使用し、表面層４はナイロンメッシュ素材等の形状が安定するような素材（形状安定化材料）を主として使用している。基部層３のガーゼ素材は、肌触りの良さのためであり、このほかに冷感素材を使用してもよい。冷感素材としては、接触冷感材料や吸湿速乾材料などを使用することができる。他方、形状安定材料としては、ナイロン製のメッシュ構造材料を使用するが、本実施形態ではメッシュの目開き長が比較的大きいもの（１．５ｍｍ〜２．０ｍｍ）を二枚積層している。これは形状の安定化を優先するためであり、従って、この場合の鏡面層４は、マスクにおけるフィルタの一部としての機能を持たせていない。
【００４８】  なお、基部層３および表面層４は、立体的な形状とするため、上端付近中央部および下端付近中央部を絞った状態で縫合している。また、庇状の面状部３１は、基部層３に設けられ、基部層３とともに使用者の顔に容易に当接し得るようにしている。
【００４９】  このように、マスク本体部１は、個別に設けられた基部層３と表面層４は、下端縁および左右両端縁が縫着されることにより一体化されるものであることから、縫着された状態は、簡易な袋状を形成することとなる。この状態を図３に示す。
【００５０】  図３（ａ）は、マスク本体部１の斜視図であり、（ｂ）は、ＩＩＩＢ−ＩＩＩＢ断面図である。この図に示されるように、基部層３と表面層４との間において、縫着されていない部分は間隙を容易に形成させることができ、マスク本体１の上端縁の縫着されていない端縁（非縫着領域）は開口部１１となり、両者３，４の中間は中空部分を形成することができる。この中空部分に、前述の内挿用フィルタ２を挿入することができるようになっているのである。また、庇状の面状部３１は、マスク本体１（基部層３）の上端縁から庇状に張り出した状態としており、その先端縁３２の帯状部分内部に樹脂製または金属製のワイヤ部材３３が被覆されつつ内蔵されるように配置されている。このワイヤ部材３３は、弾性力の小さなものであり、容易に塑性変形させることにより任意の形状に（顔の起伏に併せて）変形させることができるものである。
【００５１】  面状部３１の先端縁３２に形成される帯状部分は、前述のようにワイヤ部材３３を被覆するために布地が積層されて所定の強度を有している。この先端縁３２の両端３２ａ，３２ｂは、表面層４の左右両側部４１，４２の上端４１ａ，４２ａの近傍に係止され、さらに耳掛け用のゴム紐５，６の上端５１，６１に連結されるものである。本実施形態では、表面層４によって前記帯状部分両端３２ａ，３２ｂを係止するために、表面層４の両側部４１，４２には、当該両側部４１，４２を縫着するための当て布の先端を折り返し、前記帯状部分両端３２ａ，３２ｂを挿通させる貫通孔を形成している。この折り返し部分に帯状部分両端３２ａ，２ｂが挿通されることによって、係止位置を固定させず、位置調整を可能としつつ係止できるようにしている。なお、ゴム紐５，６の上端５１，６１は、帯状部分両端３２ａ，３２ｂに縫着されており、他方の下端５２，６２は表面層の両側部下端４１ｂ，４２ｂに縫着するなどによって連結されるものである。
【００５２】  上記のように、面状部３１の先端縁３２に形成される帯状部分両端３２ａ，３２ｂが、耳掛け用のゴム紐５，６に連結されることにより、当該ゴム紐５，６によって、マスク１を使用者の顔面に引き寄せることができる。これにより、マスク１の装着状態が安定するとともに、マスクを装着した状態で、ゴム紐５，６の上端５１，６１の近傍を引っ張ることにより、面状部３１の当該帯状部分を集中的に引っ張ることができ、当該帯状部分を鼻周辺の起伏に密着させることができるようになるのである。
【００５３】  ところで、基部層３は、肌触りの良いガーゼ素材で構成されるが、一枚の素材で構成するほか、複数のフィルタを積層して構成してもよい。すなわち、図４に示すように、使用者の顔に接触する最も内側（顔面側）にガーゼ素材（または冷感素材など）のシート材３４を配置し、外側（表面層側）には異なる材質のフィルタ３５としてもよいのである。さらに、その両者３４，３５の中間に別のフィルタ３６を設ける構成とすることもでる。
【００５４】  例えば、本実施形態では、最も外側（表面層側）のフィルタ３５には、水溶性の両性イオン性高分子が混合されたレーヨン繊維で構成された布帛を使用した消臭フィルタとし、内部に積層するフィルタ３６には、適宜肉厚の綿で構成したものを使用することができる。このような積層方法による場合、適宜肉厚の綿が中間に設けられることにより、息苦しさを軽減させている。綿の肉厚は１０ｍｍ以下であり、中間に積層されることにより、圧縮されて約５ｍｍの肉厚となるが、綿による中空層の存在により当該５ｍｍ程度でも楽に呼吸できるようになる。また、その外側に積層される消臭フィルタ３５は、水溶性の両性イオン性高分子が混合されたレーヨン繊維によって構成されていることから、綿の内部に吐き出される呼気に含まれる湿気や唾液の飛沫などを吸収させ、臭気の発生を抑えることができる。
【００５５】  さらに、図示のように、最内層のシート材３４と綿によるフィルタ３６の中間に、二つの緩衝部材３７ａ，３７ｂを配置してもよい。この緩衝部材３７ａ，３７ｂは、弾性材料が用いられ、綿やスポンジなどで構成することができる。この緩衝部材３７ａ，３７ｂは、使用者の鼻の両側辺りの位置に設けられるものであり、使用時に鼻の両側に生じやすい隙間を弾性変形しつつ解消させるものである。なお、この緩衝部材３７ａ，３７ｂは、これらのフィルタやシート材３４〜３６を縫着する際に、上端縁を同時に縫着することによって内部に固定させることができる。なお、このような縫着の後に、庇状の面状部３１の端縁が縫着されるものである。
【００５６】  次に、内挿用フィルタ２について詳述する。内挿用フィルタ２は、図５に示すように、複数のフィルタ２１〜２５が積層されている。これらのフィルタ２１〜２５は、同じ形状にカットされ、積層した状態で周囲を縫合することにより一体化している。これらのフィルタ２１〜２５のうち、最外層（表面層側）のフィルタ２１は、静電防止フィルタである。この静電防止フィルタは、ポリエステル系繊維による布帛の表面に、導電性カーボンによるカーボン糸を織り込んだものであり、縦横に２ｍｍ程度の間隔で格子状に織り込まれている。このようにカーボン糸を織り込むことにより、ポリエステル系繊維に帯電する電荷を放電し、静電気による微粒子やウイルス等の吸引・吸着を防止するのである。すなわち、ウイルス等をフィルタに吸着させて除去するのではなく、付着するウイルス等をフィルタに留めないようにしている。なお、ウイルスの侵入は、生地として使用するポリエステル系の布帛によって排除している。すなわち、静電防止フィルタ２１の生地は、目開き長を２０ｎｍ程度の微細なメッシュ状としている。このような微細なメッシュ状生地により、微粒子やウイルスなどの侵入を抑えたうえで、当該フィルタ２１の表面に留まることがないように静電防止機能を持たせたものである。これにより、マスクそのものが不衛生なものとなることを防いでいるのである。
【００５７】  また、内挿用フィルタ２は、他のフィルタ２２〜２５を積層することができる。例えば、虫忌避フィルタ２２を積層することにより、飛来虫の接近から防護することができる。虫忌避フィルタ２２としては、トルアミド系複合化合物を含浸させた綿布を使用することができる。トルアミド系複合化合物は、飛来虫（特に蚊など）に対する忌避効果があるため、これを綿布に留めることにより、蚊の接近を防除し得る。さらには、第２の消臭フィルタ２３として粒状の活性炭を付着させたものを積層してもよく、また、抗菌フィルタ２４を積層してもよい。
【００５８】  抗菌フィルタ２４としては、綿素材のメッシュフィルタにウイルス不活性能を有する物質を担持させたものがある。当該物質としては、例えば、ヨウ化白金、ヨウ化パラジウム、ヨウ化銀、ヨウ化銅およびチオシアン酸銅から１種以上選択される物質がある。そのほかにも、繊維構造物に対し、２−ヒドロキシ−１，３，５−トリアジンナトリウム、ジアミノベンゼンスルフォン酸ナトリウムおよび塩化ジデシルジメチルアンモニウムを共存させた溶液を含浸させてなるものもある（特許第４８３２５７３号）。これらの材料を使用することにより、使用される物質に接したウイルスは不活性化され、また、菌類の増殖を抑え、または菌類の死滅を促すことができる。
【００５９】  さらに、最も内側には不織布による補助フィルタ２５を設けることにより、前掲の複数のフィルタ２２〜２４を、表面の静電防止フィルタ２１との間に挟むように構成することができる。この不織布による補助フィルタ２５の存在により、中間に挟んだフィルタ２２〜２４を保護することができる。すなわち、表面が擦れることによって機能が低下することを防いでいるのである。
【００６０】  なお、上記のような内挿用フィルタ２を構成する各種フィルタ２１〜２５に加えて、さらに目開き長の小さなフィルタとして、ポリエステル系繊維による布帛によるものを追加してもよい。これは静電防止フィルタ２１の生地として使用されるものと同質であるが、このような微細なメッシュフィルタを追加することにより、呼吸に負荷を与えることができるのである。呼吸に負荷を掛けることは、すなわち、横隔膜以外の呼吸筋を鍛えることとなる。自然な呼吸では、横隔膜および肋間筋などの作用によることとなるが、息苦しい場合には、胸鎖乳突筋、腹直筋または斜角筋などをも使用することとなり、これらの筋肉を鍛えることができる。これらの筋肉強化により、呼吸動作の改善を図ることとなり、睡眠時無呼吸症候群の発症を抑える効果も期待できる。さらに、呼吸に負荷を与えることにより、低酸素運動と同様のトレーニング効果を得ることができ、身体の代謝を促進させることによるダイエット効果をも期待できる。このように、敢えて息苦しくなるようにし、呼吸に負荷を与える構成としたマスクを本願では呼吸負荷型マスクと称している。
【００６１】  次に、マスクに係る本発明の第２の実施形態について説明する。図６および図７は、本実施形態の基部層と表面層とを分離した状態を示す図であり、図６はマスク本体の外側（表面側）からの斜視の状態を、図７はマスク本体の内側（裏面側）からの斜視の状態を示すものである。
【００６２】  これらの図に示されるように、本実施形態のマスク本体１０１は、基本的構成は第１の実施形態と同様であって、基部層１０３と表面層１０４とで構成されるものである。なお、詳細は後述するが、基部層１０３と表面層１０４とは、非縫着領域を形成しつつ縫着されることによって一体化されるものである。そこで、本実施形態は、庇状の面状部（第１の面状部）１０８が、基部層１０３ではなく、表面層１０４に設けられているのである。表面層１０４の上部端縁１４３において、表面層１０４を構成する部材とともに縫着され、一体的に設けられるものである。また、この表面層１０４の下部端縁１４４には、同様の庇状の面状部（第２の面状部）１０９も設けられている。
【００６３】  上記の面状部１０８，１０９は、いずれも端縁部１８１，１９１が設けられており、それぞれの両端部分が、表面層１０４の左右両端部の上端１４１ａ，１４２ａと、下端１４１ｂ，１４２ｂとに設けられる環状部分に挿通可能であり、この挿通により当該献上部分によって係止された状態となるものである。また、この端縁部１８１，１９１は、双方ともに帯状であるが、さらに中空の筒状となっており、この中空内部に装着用紐（伸縮紐）１０５，１０６が挿通できるようになっている。なお、図中の装着用紐１０５，１０６は、第１の面状部１０８の端縁部１８１には挿通していない状態を、第２の面状部材１０９の端縁部１９１には挿通した状態を示している。また、図中の符号は１０５，１０６と分けて（左右に区分されるものとして）示しているが、全体が連続する１本の紐が用いられている。また、ここで使用される装着用紐１０５，１０６は、端縁部１８１，１９１を挿通し得る長さを有するものであり、ゴム紐等の伸縮性を有するものであることから、その伸縮時における長さの変化を調整のために調整具１５０，１６０が設けられている。
【００６４】  基部層１０３は、面状部材が設けられない点を除けば、基本的に第１の実施形態における基部層３と同じ構造である。ただし、本実施形態においては、ナイロン製メッシュ生地による形状安定化材料を最外層１３０に用いている。これは、庇状の面状部（第１および第２）１０８，１０９を表面層１０４に設けたことから、装着の状態により表面層１０４の形状が変化する可能性があり、マスク全体の形状の安定化を図るために、基部層１０３に設けたものである。なお、形状安定化材料を基部層１０３に設けたことに伴って、表面層１０４の最外層１４０には、他の材料を使用することができる。一例としては前掲の静電防止フィルタ２１と同じ材料によって構成することができる。
【００６５】  本実施形態のマスク本体部１０１は、第１の実施形態と同様に、基部層１０３および表面層１０４は、下端縁および左右両端縁を縫着し（上端縁は非縫着領域として開放し）、全体として一体化されるものである。この状態を図８および図９に示す。
【００６６】  図８（ａ）は、マスク本体部１０１の斜視図、（ｂ）は、ＶＩＩＩＢ−ＶＩＩＩＢ断面図であり、図８は装着時におけるＶＩＩＩＢ−ＶＩＩＩＢ断面図である。この図に示されるように、縫着されない上端縁（非縫着領域）は開口部１１１として機能し、基部層１０３と表面層１０４との中間に形成される中空部分には、前述の内挿用フィルタ２が挿入可能となっている。また、第１の面状部１０８の端縁部１８１には、その長手方向に沿ってワイヤ部材１８３が設けられている。このワイヤ部材１８３は、容易に塑性変形が可能な（弾性力が比較的小さい）樹脂製（ポリエチレン製）または金属製であり、１本または複数本を帯状に形成したものを側面に接着している。接着には、樹脂フィルムまたは布によってワイヤ部材１８３を被覆した状態で端縁部１８１に縫着した構成とし、ワイヤ部材１８３が表面に露出しないようにしている。なお、当該端縁部１８１には前述のとおり装着用紐１０５，１０６が挿通されるため、これと干渉しないように側面に接着したものであるが、ワイヤ部材１８３を端縁部１８１に内挿可能であれば、端縁部１８１の内部に設けてもよい。この種のワイヤ部材１８３を設けることにより、使用者の顔表面の起伏に応じて変形させ、当該端縁部１８１を顔面（特に鼻の周辺）に密着できるようにしている（図９参照）。この密着状態は、起伏の形状に合わせたうえ、前記の装着用紐１０５，１０６による伸縮性（復元力）によって効果的なものとなる。
【００６７】  これに対し、第２の面状部１０９の端縁部１９１には、ワイヤ部材を設けていない。これは、当該面状部材１０９が顎の周辺を覆うように装着されることから、会話等において口（下顎）を動作させる際、その形状や位置が常時変化するため、ワイヤ部材による形状の固定化が難しいことによる。そこで、このワイヤ部材に代えて、端縁部１９１の材料を柔軟な素材とすることにより、内部に挿通される伸縮性を有する装着用紐１０５，１０６によって、当該端縁部１９１を自在に変形させつつ、密着性を向上させているのである（図９参照）。なお、表面層１０４の上下端１４３，１４４には、形状を安定化させるための樹脂製ワイヤ１４５，１４６を縁部に沿って挿入させてもよい。
【００６８】  なお、図９に示されているように、第１の面状部１０８は、前述のように表面層１０４に設けられ、装着時には顔面に密着されることから、非縫着領域で形成される開口部１１１は、面状部１０８によって閉口された状態となる。従って、マスク本体１の開口部１１１から挿入された内挿用フィルタ１０２は、マスクの使用時においては、内部に安定的に挿入された状態が維持されるものである。
【００６９】  また、ここで使用される内挿用フィルタ１０２は、第１の実施形態における内挿用フィルタ１０２と同様であり、適宜機能を有する材質のフィルタが選択的に積層されるものである。これらの特定機能を有するフィルタは、内挿用フィルタに一括して積層する場合もあるが、基部層１０３または表面層１０４を構成するために特定機能を有するフィルタを使用する場合、内挿用フィルタから当該機能を有するフィルタを除くことができるものである。
【００７０】  上記のように、本実施形態は、第１の面状部材１０８および第２の面状部材１０９により、マスクの上下両端をともに顔面との密着性を向上させ得るものであるから、特定物質（排除すべき物質）の侵入を有効に抑えることができるものとなる。さらには、前述のように、内挿用フィルタ２に目開き長の小さなフィルタとして、ポリエステル系繊維による布帛によるものを追加し、呼吸負荷型マスクとする場合には、外気の侵入経路が一層制限されることとなり、呼吸に際して付与する負荷を大きくすることとなる。特に、装着用紐（伸縮紐）１０５，１０６による引張力を調整することにより、密着状態を変化させることも可能となるから、低酸素運動と同様のトレーニング効果を得る目的の場合には、期待する効果に応じた密着状態に調整したうえで、トレーニングを行うことも可能となる。
【００７１】  次に、マスクケースに係る実施形態について説明する。図１０は、本実施形態の概略を示す図である。この図に示されるように、マスクケース７は、底面部７１，７２が二又に分岐しており、両者７１，７２の中央には、立設された頂上部７３が設けられ、全体として略三角柱を横向きにした形状を呈している。各部７１〜７３は、一枚または数枚の布地を縫合して構成され、これら各部７１〜７３の内部は中空となっている。この布地は、ナイロン製またはポリエステル製のメッシュ素材で構成され、通気性のよいものが使用されている。
【００７２】  そして、一方の底面部７２から頂上部７３に至る途中には、前後方向（前記三角柱の母線方向）に切断された庇状端縁部７６が設けられ、この庇状端縁部７６によって開口部７４が形成されている。この庇状端縁７６部は、頂上部７３の形状に合わせて弧状に形成され、底面部７２から頂上部７３に連続する布地は、その端縁部７５が庇状端縁部７６との間で部分的に積層できるように構成され、端縁部７５の適宜範囲を当該庇状端縁部７６の内側に積層させることによって、上記開口部７４を閉口させ得る。
【００７３】  このように構成されたマスクケース７は、図１１に示すように、底面部７２から頂上部７３に到達する端縁部７５を頂上部７３から引き出すことによって、開口部７４が大きく開口するものである。この開口部７４からマスクＡを挿入することによって、内部に収容させることとなる。このとき、マスクＡの表面側Ａａを上向きとする（頂上部７３の側に向ける）ことにより、マスクＡの左右両端縁Ａｂ，Ａｃの片方を開口部７４から侵入させることができる。
【００７４】  そして、図１２に示すように、内部が断面略三角形状の中空となっているマスクケース７（図１２（ａ）参照）の内部において、マスクＡの左右両端縁Ａｂ，Ａｃがそれぞれ二又の底面部７１，７２の内側に配置され、マスクＡの表面側Ａａを上向きとして収容することができるのである。
【００７５】  なお、このマスクケース７は、基本的に底面部７１，７２と、頂上部７３とが、同じ形状で構成していることから、マスクＡの左右両端縁Ａｂ，Ａｃは、一方の底面部７１と頂上部７３とに当接させるように収容することも可能である。使用者がマスクＡをケース７の内部に挿入しやすい方法によって、マスクＡの収容状態を適宜変更してもよい。
【００７６】  上記構成のマスクケース７は、さらに図１３に示すような形態とすることが可能である。すなわち、開口部７４は、底面部７２から頂上部７３に到達する布地の端縁部７５と、頂上部７３から垂れ下がった庇状端縁部７６との間に構成されることから、この両者を密着させるためのファスナ７７（図１３（ａ）参照）または面ファスナ７８（図１３（ｂ）参照）を設けるのである。このファスナ７７または面ファスナ７８により、開口部７４を閉口可能な状態とすることができる。このように、開口部７４を閉口させることにより、内部に収納したマスクがケース７から不用意に飛び出すことを防止できるのであるが、これは洗濯において最も効果的である。つまり、マスクを洗濯する場合には、その型崩れを防止するためにケース７に収納した状態で洗濯機を使用するのである。ケース７そのものは、液体および気体が通過しやすい比較的柔軟な素材であるが、マスク単体を洗濯機によって洗濯する場合に比較して、ケース内に収容した状態での洗濯では、型崩れの度合いが異なり、さらに、その洗濯の際に、マスクをケース内に安定的に収納させることができるのである。  
【００７７】  本発明の実施形態は上記のとおりであるが、これらの実施形態は本発明の一例を示すものであって、本発明が上記の実施形態に限定される趣旨ではない。すなわち、これらの実施形態を適宜変更することができる。例えば、上述の実施形態のマスクＡは、マスク本体１と内挿用フィルタ２とで構成したものを示しているが、両者１，２は分離させたものでなく一体化した構成でもよい。また、上記実施形態のマスク本体１は、基部層３と表面層４とで構成され、それぞれがフィルタを積層した構成について説明したが、第１の実施形態においては、少なくともナイロンメッシュによる形状安定化材料を最外層とし、ガーゼ素材を最内層とする袋状構造のマスク本体１を構成するものであればよい。さらに、第２の実施形態においては、ナイロンメッシュによる形状安定化材料は、基部層１０３の最外層として設けられているが、マスク全体の形状が安定する状態であれば、最外層出なくてもよい。
【００７８】  また、マスクＡの左右両端縁Ａｂ，Ａｃ（特に基部層３の左右両端縁）に、樹脂製のワイヤ部材を設ける構成としてもよい。マスクＡの左右両端縁は、使用者の頬近傍に当接する部分であるから、当該端縁の形状を安定化させることによって、隙間の発生を抑えることができる。さらに、基部層３の上端（面状部３１が設けられる基端）の縁部にも同様のワイヤ部材を設ける構成としてもよい。このような構成により、マスクＡを装着したとき、マスクＡ（特に基部層３）の周縁が使用者の顔面に隙間なく当接することとなり、フィルタを経由しない部分からの外気の吸引を抑制することができる。
【００７９】  さらに、内挿用フィルタ２を構成する各種のフィルタは、適宜変更することができ、上述のように、マスク本体１に防臭フィルタ３５を積層しない構成の場合には、内挿用フィルタ２を構成するフィルタに上記防臭フィルタ３５を積層させる構成とすることができる。さらに、呼吸負荷型マスクの場合には、基部層３に積層される綿３６を積層しない構成としてもよく、庇状の面状部３１および緩衝部材３７ａ，３７ｂは必須の部材ではなく、適宜省略することができる。
【００８０】  また、マスクにかかる第１の実施形態においては、面状部材３１を基部層３に設けたが、第２の実施形態に示されるように表面層４に設ける構成としてもよい。他方、第２の実施形態では、第１の面状部材１０８および第２の面状部材１０９をいずれも表面層１０４に設ける構成としたが、いずれか一方または双方を基部層１０３に設ける構成としてもよい。
【符号の説明】
【００８１】１，１０１  マスク本体２，１０２  内挿用フィルタ３，１０３  基部層４，１０４  表面層５，６，１０５，１０６  ゴム紐７  マスクケース１１，１１１  マスク本体の開口部２１  静電防止フィルタ２２  虫退避フィルタ２３  第２の消臭フィルタ２４  抗菌フィルタ２５  補助フィルタ（不織布フィルタ）３１，１０８，１０９  庇状の面状部３２，１８１，１９１  面状部の先端縁（端縁部）３２ａ，３２ｂ，１８２ａ，１８２ｂ，１９２ａ，１９２ｂ  面状部の帯状部分両端（端縁部両端）３３，１８３  ワイヤ部材３４  最内層のシート材（ガーゼ素材等のシート材）３５  消臭フィルタ３６  綿３７ａ，３７ｂ  緩衝部材４１，４２  表面層の左右両側部４１ａ，４２ａ，１４１ａ，１４２ａ  左右両側部の上端４１ｂ，４２ｂ，１４１ｂ，１４２ｂ  左右両側部の下端５１，６１  ゴム紐の上端５２，６２  ゴム紐の下端７１，７２  マスクケースの底面部７３  マスクケースの頂上部７４  マスクケースの開口部７５  マスクケースの端縁部７６  マスクケースの庇状端縁部７７  ファスナ７８  面ファスナ１３０  基部層の最外層１４０  表面層の最外層１４３  表面層の上部端縁１４４  表面層の下部端縁１４５，１４６  樹脂製ワイヤ１５０，１６０  装着紐の長さ調整具Ａ  マスクＡａ  マスクの表面側Ａｂ，Ａｃ  マスクの左右両端縁
【図１】
2018003831.tif 000003
【図２】
2018003831.tif 000004
【図３】
2018003831.tif 000005
【図４】
2018003831.tif 000006
【図５】
2018003831.tif 000007
【図６】
2018003831.tif 000008
【図７】
2018003831.tif 000009
【図８】
2018003831.tif 000010
【図９】
2018003831.tif 000011
【図１０】
2018003831.tif 000012
【図１１】
2018003831.tif 000013
【図１２】
2018003831.tif 000014
【図１３】
2018003831.tif 000015
【国際調査報告】
2018003831.tif 000016
2018003831.tif 000017
2018003831.tif 000018
2018003831.tif 000019